(57)【要約】      （修正有）【課題】使用時の負担を軽減し、発光部材に備わっている光源装着部の数や仕様が相違していても、仕様の相違にかかわらず二次電池を共用することができる光源装置を提供する。【解決手段】二次電池１０と、ＬＥＤ発光体２０と、充電側コネクタ３０と、充電コード４０と、給電コード５０と、を有する。給電コード５０を、二次電池に一体に設けた第１コード５１と、ＬＥＤ発光体に接続した第２コード５２とに２分割し、第１コードの末端に雄側コネクタ６１を設け、第２コードの始端に雌側コネクタ６２を設ける。第２コードの末端に、発光部材の光源装着部に着脱可能なソケット８０を設けてもよい。【選択図】図１
0003210286.tif 000002
【実用新案登録請求の範囲】
【請求項１】
二次電池と、ＬＥＤ発光体と、充電側コネクタと、上記二次電池の入力端子と上記充電側コネクタとを接続する充電コードと、上記二次電池の出力端子と上記ＬＥＤ発光体とを接続する給電コードと、を有し、上記充電側コネクタを電源に接続して上記二次電池に給電することによってその二次電池が充電され、かつ、上記二次電池の電力を消費して上記ＬＥＤ発光体が発光するように構成されている光源装置であって、
上記充電側コネクタを先端部に有する上記充電コードが上記二次電池に一体に設けられ、上記給電コードが、上記二次電池に一体に設けられた第１コードと、上記ＬＥＤ発光体に接続された第２コードとに２分割されていて、第１コードの末端と第２コードの始端とに振り分けて、着脱可能な雄側コネクタとその相手方の雌側コネクタとが設けられていることを特徴とする光源装置。
【請求項２】
上記第２コードの末端に、繊維集合体でなる発光部材の光源装着部に着脱可能で、上記ＬＥＤ発光体を上記光源装着部に配備された入光面に対向配備するためのソケットが設けられている請求項１に記載した光源装置。
【請求項３】
上記二次電池は、その外観形状が、衣類ポケットに収まるサイズの棒状に形作られている請求項１又は請求項２に記載した光源装置。
【請求項４】
上記充電側コネクタと上記雄側コネクタ及び上記雌側コネクタとがＵＳＢコネクタでなる請求項１ないし請求項３のいずれか１項に記載した光源装置。
【請求項５】
複数のＬＥＤ発光体を備える請求項１ないし請求項４のいずれか１項に記載した光源装置。
【考案の詳細な説明】
【技術分野】
【０００１】
本考案は、光源装置、特に、繊維集合体でなる発光部材の光源として使用される光源装置に関する。
【背景技術】
【０００２】
先行例によって面発光体が提案されている。この面発光体は、織物組織内に光学繊維を含ませ、その織物組織から引き出した光学繊維を収束させて光源接続部を構成してなる（たとえば特許文献１）。また、他の先行例によると、円筒状に形成された光学繊維織物からなる面発光体において、その織物の円筒状端部の光学繊維を集束させて光源接続部とすることも知られている（たとえば特許文献２参照）。
【０００３】
一方、図４に示したように、環状に形成された織物の組織に光学繊維を含ませ、その織物組織から引き出した光学繊維の両端部を集束させて光源装着部１０１，１０１とした繊維集合体でなる面状の発光部材１００が従来より知られている。図５で模式的に示したように、この発光部材１００では、光源装着部１０１，１０１に備わっている光学繊維束の両端面が入光面１０３，１０３とされていて、それらの入光面１０３，１０３に光源、たとえばＬＥＤ光源の光を矢印で示したように入射すると、織物組織内の光学繊維が発光することにより全体として面発光状態が得られる。また、この発光部材１００によると、上記した両端部の入光面１０３，１０３から異なる色合いの光を入光すると、発光部材１００による発光色が、位置によって連続的に変化するグラデーションを得られることが判っている。図４に示した環状の発光部材１００は、たとえばバッグの外側に装着されるバッグバンドとして使用される。また、同様の発光原理に基づく他の種類の発光部材として、たとえば衣類や乗り物、履き物などの素材自体でなる面発光部材やそれらに装着される面発光部材、インテリアに用いられる装飾用の面発光部材、なども知られている。
【０００４】
他方、充電器側の充電コードの端部にコネクタを設けること、携帯電話の充電台に接続コードを接続することなどが、さらに他の先行例に記載されている（たとえば特許文献３参照）。
【先行技術文献】
【特許文献】
【０００５】
【特許文献１】実開昭６２−１７９７０８号公報
【特許文献２】実開昭６２−１７９７０７号公報
【特許文献３】特開２００４−５５３６１号公報
【考案の概要】
【考案が解決しようとする課題】
【０００６】
本考案は、以上の状況に鑑みてなされたものであり、たとえば図４を参照して説明した発光部材１００やそれに特性が類似する発光部材を使用対象とする場合に、使用時の負担を軽減することのできる可搬型の光源装置を提供することを目的としている。また、本考案は、発光部材に備わっている光源装着部の数や仕様が相違していても、その相違に対処しやすくなる対策を講じた光源装置を提供することを目的としている。
【課題を解決するための手段】
【０００７】
本考案に係る光源装置は、二次電池と、ＬＥＤ発光体と、充電側コネクタと、上記二次電池の入力端子と上記充電側コネクタとを接続する充電コードと、上記二次電池の出力端子と上記ＬＥＤ発光体とを接続する給電コードと、を有し、上記充電側コネクタを電源に接続して上記二次電池に給電することによってその二次電池が充電され、かつ、上記二次電池の電力を消費して上記ＬＥＤ発光体が発光するように構成されている。そして、上記充電側コネクタを先端部に有する上記充電コードが上記二次電池に一体に設けられ、上記給電コードが、上記二次電池に一体に設けられた第１コードと、上記ＬＥＤ発光体に接続された第２コードとに２分割されていて、第１コードの末端と第２コードの始端とに振り分けて、着脱可能な雄側コネクタとその相手方の雌側コネクタとが設けられている。
【０００８】
この構成であると、充電側コネクタを先端部に有する充電コードが二次電池に一体に設けられていることにより、二次電池と充電コードと充電側コネクタとを別々に管理する必要がなくなり、それらが個別に紛失してしまうといった事態が起こらない。また、給電コードが、二次電池に一体に設けられた第１コードとＬＥＤ発光体に接続された第２コードとに２分割されていて、第１コードの末端と第２コードの始端とに振り分けて、雄側コネクタとその相手方の雌側コネクタとが設けられている、という構成を採用したことにより、ＬＥＤ発光体を備える第２コードを適宜選択使用することによって、ＬＥＤ発光体の数や色や配置を変更したり、また二次電池を共用することが可能になるという利便性がある。
【０００９】
本考案において、上記第２コードの末端に、繊維集合体でなる発光部材の光源装着部に着脱可能で、上記ＬＥＤ発光体を上記光源装着部に配備された入光面に対向配備するためのソケットが設けられている、という構成を採用することが可能であり、そうすることによって、光源装着部の数や仕様が相違する発光部材に対しても、それらに一致する数や仕様のＬＥＤ発光体やソケットを備える第２コードを適宜選択使用することが可能になるという利便性がある。
【００１０】
本考案において、上記二次電池は、その外観形状が、衣類ポケットに収まるサイズの棒状に形作られている、という構成を採用することが可能であり、そうすることによって当該光源装置の可搬性が向上する。
【００１１】
本考案では、上記充電側コネクタと上記雄側コネクタ及び上記雌側コネクタとがＵＳＢコネクタでなる、という構成を採用することが可能である。周知のように、ＵＳＢコネクタは、嵩張らず、可搬性に優れているために、この構成を採用することによって、当該光源装置の可搬性がいっそう向上する。
【００１２】
本考案では、ＬＥＤ発光体の数は１つに限定されず、２つ又は２つより多い複数であってもよい。
【考案の効果】
【００１３】
以上説明したように、本考案に係る光源装置によると、使用対象である発光部材の使用時に、二次電池などを負担なく持ち運ぶことが可能になって使用時の負担が軽減されるだけでなく、充電コードや二次電池などが個別に紛失してしまうことが原因になって当該光源装置を使用することができなくなるといった状況が未然に防止される。また、発光部材に備わっている光源装着部の数や仕様が相違していても、それらに一致する数や仕様のＬＥＤ発光体やソケットを備える第２コードを適宜選択使用することによって、二次電池を共用することが可能になるという利便性も発揮される。
【図面の簡単な説明】
【００１４】
【図１】本考案に係る光源装置の全体構成を例示した説明図である。
【図２】光源装置によって構成される電気回路図である。
【図３】発光部材の光源装着部にソケットを装着した状態を例示した断面図である。
【図４】発光部材を例示した概略斜視図である。
【図５】発光部材の発光原理を示した模式図である。
【考案を実施するための形態】
【００１５】
図１は本考案に係る光源装置の全体構成を例示した説明図である。この光源装置は、二次電池１０と、ＬＥＤ発光体２０と、充電側コネクタ３０と、二次電池１０の入力端子（不図示）と充電側コネクタ３０とを接続している充電コード４０と、二次電池１０の出力端子（不図示）とＬＥＤ発光体２０とを接続する給電コード５０と、を有している。
【００１６】
二次電池１０は、その外観形状が、衣類ポケットに収まるサイズの棒状、具体的には円柱状や角柱状の細長い棒状に形作られている。図示例の二次電池１０は円柱状の外観を有していて、長さが８６．３０ｍｍ、直径が１７．４０ｍｍである。円柱状の二次電池１０がこのサイズを有していると、使用者は、その二次電池１０を衣類ポケットに収めて負担なく持ち運ぶことができる。また、発光部材１００側に二次電池１０を装備させることも可能である。
【００１７】
二次電池１０は、その一端側に入力端子（不図示）、その他端側に出力端子（不図示）をそれぞれ内蔵している。そして、入力端子に接続された充電コード４０の一端部が当該二次電池１０に固着されてその一端面から引き出されていると共に、その充電コード４０の他端部に、上記充電側コネクタ３０が接続されている。したがって、充電側コネクタ３０を電源に接続して二次電池１０に給電することによってその二次電池１０が充電される。二次電池１０と充電コード４０とは一体化されていて、充電コード４０を二次電池１０から取り外すことはできない。
【００１８】
１つのＬＥＤ発光体２０は１つのＬＥＤ発光素子によって形成されていて、図示例の光源装置では２つのＬＥＤ発光体２０，２０が設けられている。そして、これら２つのＬＥＤ発光体２０，２０と上記二次電池１０の出力端子とが給電コード５０によって接続される。
【００１９】
この実施形態において、給電コード５０は、二次電池１０の他端面から引き出された第１コード５１と、２つのＬＥＤ発光体２０，２０に接続された第２コード５２とに２分割されている。二次電池１０と第１コード５１の一端部とは固着によって一体化されていて、第１コード５１を二次電池１０から取り外すことはできない。第１コード５１と第２コード５２とは、雄側コネクタ６１とその相手方の雌側コネクタ６２とを接続することによって接続される。具体的には、図示例のように、第１コード５１の末端に雄側コネクタ６１が設けられ、第２コード５２の始端に雌側コネクタ６２が設けられていて、雄側コネクタ６１をその相手方である雌側コネクタ６２に差し込んで装着することによって第１コード５１と第２コード５２とが接続される。また、雄側コネクタ６１を雌側コネクタ６２から抜き出して離脱させることによって第１コード５１と第２コード５２との接続が遮断される。なお、第１コード５１の末端に雌側コネクタを設け、第２コード５２の始端に雄側コネクタを設けておくことも可能である。
【００２０】
図２はこの光源装置によって構成される電気回路図の一例を示している。同図のように、二次電池１０の陽極と陰極とに２つのＬＥＤ発光体２０，２０が並列に接続され、かつ、その回路が抵抗Ｒ１，Ｒ２，Ｒ３，Ｒ４，Ｒ５を有する制御回路７０を備えている。この制御回路７０は基板上に形成されて、図１のように雌側コネクタ６２に内蔵されている。
【００２１】
以上のように構成された光源装置において、雄側コネクタ６１を雌側コネクタ６２に差し込んで装着することによって第１コード５１と第２コード５２とを接続すると、それらの第１コード５１と第２コード５２とによって形成される給電コード５０によって、二次電池１０の出力端子と２つのＬＥＤ発光体２０，２０とが接続されて図２に示した電気回路が形成される。したがって、二次電池１０の電力を消費して２つのＬＥＤ発光体２０，２０が発光する。
【００２２】
図示例の光源装置では、二次電池１０にプッシュプッシュスイッチでなるスイッチボタン１１を具備させてあり、このスイッチボタン１１の押し下げ動作を繰り返すことによって、二次電池１０からの電力の供給と遮断が繰り返されるようになっている。
【００２３】
次に、第２コード６２の末端には、個々のＬＥＤ発光体２０，２０に対応して円筒状のソケット８０，８０が設けられている。これらのソケット８０，８０は、図４又は図５を参照して説明した発光部材１００の２つの光源装着部１０１，１０１に各別に着脱可能で、装着状態では、ＬＥＤ発光体２０が光源装着部１０１に配備された入光面１０３に対向配備される。
【００２４】
図３は発光部材１００の光源装着部１０１に上記ソケット８０を装着した状態を例示した断面図である。この事例では、上記ソケット８０を、光源装着部１０１に設けた円筒状の相手方ソケット９０に差し込むことによって、ソケット８０が光源装着部１０１に装着され、ＬＥＤ発光体２０が光源装着部１０１の入光面１０３に対向配備されるようになっている。
【００２５】
以上説明した実施形態に係る光源装置において、充電側コネクタ３０や雄側コネクタ６１及び雌側コネクタ６２にはＵＳＢコネクタが採用されている。さらに具体的には、充電側コネクタ３０にはＵＳＢタイプＡ雄側コネクタが採用され、雄側コネクタ６１及び雌側コネクタ６２にはマイクロＵＳＢコネクタが採用されている。これらのＵＳＢコネクタは小形であるため、持ち運ぶ際に嵩張らず、また、マイクロＵＳＢコネクタはＵＳＢタイプＡ雄側コネクタよりもさらに小形であるために、棒状の二次電池１０を極力細く形作ることが可能になり、そのことが持ち運ぶ際の負担を軽減することに役立つ。
【００２６】
この実施形態において、２つのＬＥＤ発光体２０，２０の発光色を異ならせておくと、面発光する発光部材１００による発光色が位置によって連続的に変化するグラデーションを得ることができる。また、この実施形態に係る光源装置の使用対象となる発光部材は、図４に示したものに限定されることはなく、たとえば、同様の発光原理に基づく衣類や乗り物、履き物などの素材自体でなる面発光部材やそれらに装着される面発光部材、インテリアに用いられる装飾用の面発光部材などであってもよい。
【００２７】
ところで、図１に示したように、実施形態に係る光源装置は二次電池側部品Ａと発光体側部品Ｂとの２つの部品により成り立っている。具体的には、二次電池側部品Ａが、二次電池１０と、二次電池１０に一体化された充電コード４０及び第１コード５１と、充電コード４０に設けられた充電側コネクタ３０及び第１コード５１に設けられた雄側コネクタ６１と、でなり、発光体側部品Ｂが、第２コード５２とそれに設けられたＬＥＤ発光体２０及び雌側コネクタ６２とでなる。したがって、二次電池１０と充電側コネクタ３０を有する充電コード４０と雄側コネクタ６１を有する第１コード５１とを別々に管理する必要はなく、たとえ充電側コネクタ３０や雄側コネクタ６１が小形であるとしても、それらが個別に紛失してしまうといった事態が起こらない。同様に、ＬＥＤ発光体２０と雌側コネクタ６２を有する第２コード５２とを別々に管理する必要はなく、たとえＬＥＤ発光体２０や雌側コネクタ６２が小形であるとしても、それらが個別に紛失してしまうといった事態が起こらない。
【００２８】
さらに、光源装置を二次電池側部品Ａと発光体側部品Ｂとの２つの部品に分けたことによって、次に説明する利点が得られる。すなわち、発光体側部品Ｂにおいて、ＬＥＤ発光体２０の数を１つだけあるいは２つ以上の複数個にしたものや、２つ又は２つ以上のＬＥＤ発光体２０…の発光色を相違させたものを複数種類製作し、かつ、それらの雌側コネクタ６２の仕様を共通化しておくと、ＬＥＤ発光体２０の数や発光色が異なる複数種類の発光体側部品Ｂに対して、１種類の二次電池側部品Ａを共用することが可能になるという利便性が得られる。また、図４に示した発光部材１００やその他の種類の発光部材において、それらの光源装着部１０１の仕様が相違しているとしても、光源装着部１０１の仕様に適合するソケット８０を備えた上記発光体側部品Ｂを複数種類製作しておくと、それら複数種類の発光体側部品Ｂに対して、１種類の二次電池側部品Ａを共用することが可能になるという利便性が得られる。
【００２９】
この実施形態では、二次電池１０の形状を棒状としているけれども、この点は、二次電池１０の形状としてカード型やその他の任意の形状を選択することが可能である。
【符号の説明】
【００３０】
１０  二次電池
２０  ＬＥＤ発光体
３０  充電側コネクタ（ＵＳＢコネクタ）
４０  充電コード
５０  給電コード
５１  第１コード
５２  第２コード
６１  雄側コネクタ（ＵＳＢコネクタ）
６２  雌側コネクタ（ＵＳＢコネクタ）
８０  ソケット
１００  発光部材
１０１  光源装着部
１０３  入光面
【図１】
0003210286.tif 000003
【図２】
0003210286.tif 000004
【図３】
0003210286.tif 000005
【図４】
0003210286.tif 000006
【図５】
0003210286.tif 000007